(57)【要約】【課題】複製が許可されていないコンテンツから作成された複製の再生又は移動処理等が可能となるのを防ぐ。【解決手段】記録再生装置１は、タイトル鍵格納部１１及びタイトル鍵制御部１３を備えている。タイトル鍵格納部１１は、不揮発性の格納領域１５を有しており、当該格納領域１５に複数のタイトル鍵がリスト化されて格納される。タイトル鍵制御部１３は、記録再生制御部５からタイトル鍵を取得し、取得したタイトル鍵をタイトル鍵格納部１１に格納するように制御する。タイトル鍵制御部１３は、タイトル鍵格納部１１に格納されたタイトル鍵と記録再生制御部５を通して取得したタイトル鍵と比較し、この比較結果に基づいて、取得したタイトル鍵とタイトル鍵格納部１１に格納されたタイトル鍵とが一致する場合、記録再生制御部５における移動処理及び再生処理の実行を禁止するように制御する。【選択図】図１
2008085475.tif 000002
【特許請求の範囲】
【請求項１】
タイトル鍵と該タイトル鍵により暗号化されたコンテンツとが格納された記録媒体から、前記タイトル鍵を取得するタイトル鍵取得手段と、
タイトル鍵が格納される不揮発性のタイトル鍵格納手段と、
前記タイトル鍵取得手段により取得されたタイトル鍵と、前記タイトル鍵格納手段に格納されたタイトル鍵とを比較するタイトル鍵比較手段と、
前記タイトル鍵比較手段による比較結果に基づき、前記タイトル鍵取得手段により取得された前記タイトル鍵と前記タイトル鍵格納手段に格納された前記タイトル鍵とが一致する場合には前記記録媒体に格納された前記コンテンツの移動処理の実行を禁止し、前記タイトル鍵取得手段により取得された前記タイトル鍵と前記タイトル鍵格納手段に格納された前記タイトル鍵とが一致しない場合には前記記録媒体に格納された前記コンテンツの移動処理の実行を許可する制御手段と、を備えることを特徴とするコンテンツ移動制御装置。
【請求項２】
前記タイトル鍵取得手段は、記録媒体から該記録媒体に格納されたコンテンツを移動させる指示を受けて、該コンテンツを暗号化したタイトル鍵を取得することを特徴とする請求項１に記載のコンテンツ移動制御装置。
【請求項３】
前記タイトル鍵比較手段による比較結果に基づき、前記タイトル鍵取得手段により取得された前記タイトル鍵と前記タイトル鍵格納手段に格納された前記タイトル鍵とが一致しない場合に、前記タイトル鍵取得手段により取得された前記タイトル鍵を前記タイトル鍵格納手段に格納するタイトル鍵格納制御手段を更に備えることを特徴とする請求項１又は２に記載のコンテンツ移動制御装置。
【請求項４】
前記タイトル鍵は、ＡＥＳ方式の暗号鍵であることを特徴とする請求項１〜３のいずれか一項に記載のコンテンツ移動制御装置。
【請求項５】
タイトル鍵と該タイトル鍵により暗号化されたコンテンツとが格納された記録媒体から、前記タイトル鍵を取得するタイトル鍵取得手段と、
タイトル鍵が格納される不揮発性のタイトル鍵格納手段と、
前記タイトル鍵取得手段により取得されたタイトル鍵と、前記タイトル鍵格納手段に格納されたタイトル鍵とを比較するタイトル鍵比較手段と、
前記タイトル鍵比較手段による比較結果に基づき、前記タイトル鍵取得手段により取得された前記タイトル鍵と前記タイトル鍵格納手段に格納された前記タイトル鍵とが一致する場合には前記記録媒体に格納された前記コンテンツの再生処理の実行を禁止し、前記タイトル鍵取得手段により取得された前記タイトル鍵と前記タイトル鍵格納手段に格納された前記タイトル鍵とが一致しない場合には前記記録媒体に格納された前記コンテンツの再生処理の実行を許可する制御手段と、を備えることを特徴とするコンテンツ再生制御装置。
【請求項６】
前記タイトル鍵取得手段は、記録媒体から該記録媒体に格納されたコンテンツを再生する指示を受けて、該コンテンツを暗号化したタイトル鍵を取得することを特徴とする請求項５に記載のコンテンツ再生制御装置。
【請求項７】
前記タイトル鍵は、ＡＥＳ方式の暗号鍵であることを特徴とする請求項５又は６に記載のコンテンツ再生制御装置。
【発明の詳細な説明】
【技術分野】
【０００１】
本発明は、記録媒体に格納されたコンテンツの移動処理を制御するコンテンツ移動制御装置と、記録媒体に格納されたコンテンツの再生処理を制御するコンテンツ再生制御装置に関する。
【背景技術】
【０００２】
近年、コンテンツの著作権保護の観点から、コンテンツに固有の暗号鍵、いわゆるタイトル鍵を作成し、このタイトル鍵によりコンテンツを暗号化し、暗号化されたコンテンツとタイトル鍵とを記録媒体に格納することが行われている（例えば、特許文献１参照）。
【特許文献１】特開２００５−１０９８８１号公報
【発明の開示】
【発明が解決しようとする課題】
【０００３】
ところで、以下のような処理を行うことにより、コンテンツが複製を許可されていないものであっても、当該コンテンツの複製を作成して、その複製の再生処理又は移動処理等が可能な状態になってしまうことがある。
【０００４】
例えば、図５に示されるように、複製を許可されていないコンテンツＡが正当な手段によりハードディスクドライブ（ＨＤＤ）レコーダ１０１の内蔵ＨＤＤ１０３に記録されているとする。ＨＤＤレコーダ１０１に外部ＨＤＤ１０５を接続し、コンテンツＡを正当な処理に基づいてＨＤＤレコーダ１０１から外部ＨＤＤ１０５に移動させると、コンテンツＡはＨＤＤレコーダ１０１の内蔵ＨＤＤ１０３から削除され、外部ＨＤＤ１０５に格納される。コンテンツＡが格納された外部ＨＤＤ１０５をパーソナルコンピュータ１０７などの機器に接続し、コンテンツＡの複製であるコンテンツＡＣを外部ＨＤＤ１０５内に格納するという不正処理を実行させると、コンテンツＡとコンテンツＡＣとが外部ＨＤＤ１０５に格納される。
【０００５】
続いて、コンテンツＡ及びコンテンツＡＣが格納された外部ＨＤＤ１０５を再度ＨＤＤレコーダ１０１に接続し、コンテンツＡ及びコンテンツＡＣを内蔵ＨＤＤ１０３に移動させると、コンテンツＡ及びコンテンツＡＣは外部ＨＤＤ１０５から削除され、内蔵ＨＤＤ１０３に格納される。コンテンツＡＣは、コンテンツＡが複製を許可されていないものにも関わらず、再生処理又は移動処理等が可能な状態にある。
【０００６】
そこで、本発明は上記課題を解決するためになされたもので、複製が許可されていないコンテンツから作成された複製の再生処理又は移動処理等が可能となるのを防ぐことができるコンテンツ移動制御装置及びコンテンツ再生制御装置を提供することを目的とする。
【課題を解決するための手段】
【０００７】
本発明に係るコンテンツ移動制御装置は、タイトル鍵と該タイトル鍵により暗号化されたコンテンツとが格納された記録媒体から、タイトル鍵を取得するタイトル鍵取得手段と、タイトル鍵が格納される不揮発性のタイトル鍵格納手段と、タイトル鍵取得手段により取得されたタイトル鍵と、タイトル鍵格納手段に格納されたタイトル鍵とを比較するタイトル鍵比較手段と、タイトル鍵比較手段による比較結果に基づき、タイトル鍵取得手段により取得されたタイトル鍵とタイトル鍵格納手段に格納されたタイトル鍵とが一致する場合には記録媒体に格納されたコンテンツの移動処理の実行を禁止し、タイトル鍵取得手段により取得されたタイトル鍵とタイトル鍵格納手段に格納されたタイトル鍵とが一致しない場合には記録媒体に格納されたコンテンツの移動処理の実行を許可する制御手段と、を備えることを特徴とする。
【０００８】
本発明に係るコンテンツ再生制御装置は、タイトル鍵と該タイトル鍵により暗号化されたコンテンツとが格納された記録媒体から、タイトル鍵を取得するタイトル鍵取得手段と、タイトル鍵が格納される不揮発性のタイトル鍵格納手段と、タイトル鍵取得手段により取得されたタイトル鍵と、タイトル鍵格納手段に格納されたタイトル鍵とを比較するタイトル鍵比較手段と、タイトル鍵比較手段による比較結果に基づき、タイトル鍵取得手段により取得されたタイトル鍵とタイトル鍵格納手段に格納されたタイトル鍵とが一致する場合には記録媒体に格納されたコンテンツの再生処理の実行を禁止し、タイトル鍵取得手段により取得されたタイトル鍵とタイトル鍵格納手段に格納されたタイトル鍵とが一致しない場合には記録媒体に格納されたコンテンツの再生処理の実行を許可する制御手段と、を備えることを特徴とする。
【発明の効果】
【０００９】
本発明によれば、複製が許可されていないコンテンツから作成された複製の再生処理又は移動処理等が可能となるのを防ぐことができるコンテンツ移動制御装置及びコンテンツ再生制御装置が得られる。
【発明を実施するための最良の形態】
【００１０】
以下、添付図面を参照して、本発明の好適な実施形態について詳細に説明する。なお、説明において、同一要素又は同一機能を有する要素には、同一符号を用いることとし、重複する説明は省略する。
【００１１】
図１〜図４を参照して、本実施形態に係る記録再生装置１の構成について説明する。図１は、本実施形態に係る記録再生装置の構成を示すブロック図である。図２は、コンテンツの移動処理の動作手順を示すフローチャートである。図３は、コンテンツの再生処理の動作手順を示すフローチャートである。本実施形態では、記録再生装置１としてＨＤＤレコーダを用いた例を示す。
【００１２】
記録再生装置１は、図１に示されるように、ハードディスクドライブ３と、記録再生制御部５とを備えている。
【００１３】
ハードディスクドライブ３は、記録媒体としてのハードディスク７を有している。ハードディスクドライブ３は、ハードディスク７にタイトル鍵と当該タイトル鍵により暗号化されたコンテンツとをデジタルデータとして記録し、また、記録されているデジタルデータを読み取る機能を有している。これにより、ハードディスク７には、タイトル鍵と当該タイトル鍵により暗号化されたコンテンツが格納されることとなる。
【００１４】
記録再生制御部５は、マイクロコンピュータブロック（不図示）の制御に基づいて、ハードディスクドライブ３に対するコンテンツの記録、再生、及び移動等を制御する。
【００１５】
記録再生制御部５は、リモートコントローラや操作ボタン（いずれも不図示）を通して、コンテンツを記録する旨の指示を受けると、入力されたコンテンツをタイトル鍵により暗号化し、タイトル鍵と当該タイトル鍵により暗号化されたコンテンツとをハードディスク７に記録するようにハードディスクドライブ３を制御する。タイトル鍵は、例えば、ＡＡＣＳ（Advanced Access Content System）にて用いられているＡＥＳ（Advanced Encryption Standard）方式の暗号鍵であり、乱数発生器等を利用して１２８ビットの乱数として生成される。タイトル鍵は、記録再生制御部５で生成してもよく、記録再生制御部５とは別にタイトル鍵生成部を設けて生成してもよい。タイトル鍵をＡＥＳ方式の暗号鍵とすることにより、同一のタイトル鍵が複数存在することを回避することができる。
【００１６】
記録再生制御部５は、リモートコントローラや操作ボタンを通して、コンテンツを再生あるいは移動する旨の指示を受けると、暗号化されたコンテンツと当該コンテンツを暗号化したタイトル鍵とをハードディスク７から読み取るようにハードディスクドライブ３を制御する。コンテンツを再生する旨の指示を受けた場合、記録再生制御部５は、例えば、暗号化されたコンテンツを復号化して、コンテンツの再生処理を実行する。一方、コンテンツを移動する旨の指示を受けた場合、記録再生制御部５は、暗号化されたコンテンツと当該コンテンツを暗号化したタイトル鍵とを読み取ると共に、これらのオリジナルデータを消去するようにハードディスクドライブ３を制御する。これにより、記録再生制御部５は、移動処理を実行することとなる。再生処理及び移動処理は、当該技術分野では既知であり、これ以上の詳細な説明を省略する。
【００１７】
記録再生装置１には、外部記録媒体としての外部ハードディスクドライブ２０が接続されている。外部ハードディスクドライブ２０は、インターフェイス９を通して、記録再生制御部５に接続されており、記録媒体としてのハードディスク２２を有している。記録再生装置１は、外部ハードディスクドライブ２０に対するコンテンツの記録、再生、及び移動も制御する。すなわち、記録再生制御部５は、外部ハードディスクドライブ２０に格納されているコンテンツを再生する旨の指示を受けると、ハードディスク２２から暗号化されたコンテンツと当該コンテンツを暗号化したタイトル鍵とを読み取るように外部ハードディスクドライブ２０を制御すると共に、暗号化されたコンテンツを復号化して、コンテンツの再生処理を実行する。一方、コンテンツを移動する旨の指示を受けた場合、記録再生制御部５は、移動処理として、暗号化されたコンテンツと当該コンテンツを暗号化したタイトル鍵とを読み取ると共に、これらのオリジナルデータを消去するように外部ハードディスクドライブ２０を制御する。ここでも、再生処理及び移動処理は、当該技術分野では既知であり、これ以上の詳細な説明を省略する。
【００１８】
また、記録再生装置１は、タイトル鍵格納部１１と、タイトル鍵制御部１３とを備えている。タイトル鍵格納部１１は、不揮発性の格納領域１５を有しており、当該格納領域１５に複数のタイトル鍵がリスト化されて格納される。タイトル鍵格納部１１は、タイトル鍵が格納される不揮発性のタイトル鍵格納手段として機能する。タイトル鍵格納部１１は、例えばフラッシュＲＯＭ等により構成することができる。
【００１９】
タイトル鍵制御部１３は、記録再生制御部５からタイトル鍵を取得し、取得したタイトル鍵をタイトル鍵格納部１１に格納するように制御する。また、タイトル鍵制御部１３は、タイトル鍵格納部１１に格納されたタイトル鍵と記録再生制御部５を通して取得したタイトル鍵と比較し、比較結果に基づいて、記録再生制御部５における移動処理及び再生処理の実行を禁止あるいは許可する。このとき、タイトル鍵制御部１３は、移動処理及び再生処理の実行を禁止あるいは許可する旨の情報を記録再生制御部５に送る。これにより、タイトル鍵制御部１３は、タイトル鍵を取得するタイトル鍵取得手段、取得したタイトル鍵とタイトル鍵制御部１３に格納されたタイトル鍵とを比較するタイトル鍵比較手段、及び、比較結果に基づいて移動処理及び再生処理の実行を禁止あるいは許可する制御手段として機能する。
【００２０】
次に、図２を参照して、記録再生装置１によるコンテンツの移動処理について説明する。ここでは、外部ハードディスクドライブ２０からハードディスクドライブ３へのコンテンツの移動処理の例を示す。
【００２１】
記録再生装置１が処理を開始し、ユーザによって例えばリモートコントローラが操作されて操作信号が入力されると、記録再生制御部５は、操作信号を取り込み、ユーザによる操作が、外部ハードディスクドライブ２０から格納されている暗号化されたコンテンツを移動させる指示であるか否かを判定する（Ｓ２０１）。ここで、ユーザによる操作が外部ハードディスクドライブ２０から格納されている暗号化されたコンテンツを移動させる指示でないと判定した場合、処理を終える。一方、ユーザによる操作が、外部ハードディスクドライブ２０から格納されている暗号化されたコンテンツを移動させる指示である場合には、ステップ２０３の処理に進む。
【００２２】
ステップ２０３において、記録再生制御部５は、ユーザによる操作に対応するコンテンツを暗号化したタイトル鍵を外部ハードディスクドライブ２０（ハードディスク２２）から読み出し、タイトル鍵制御部１３に送る。これにより、タイトル鍵制御部１３は、ユーザによる操作に対応するコンテンツを暗号化したタイトル鍵を取得することとなる（Ｓ２０３）。
【００２３】
タイトル鍵を取得すると、タイトル鍵制御部１３は、取得したタイトル鍵とタイトル鍵格納部１１（格納領域１５）に格納されてリスト化されたタイトル鍵とを比較する（Ｓ２０５）。すなわち、タイトル鍵格納部１１に格納されたタイトル鍵の中に取得したタイトル鍵と一致するタイトル鍵が存在するか否かを判断し（Ｓ２０７）、タイトル鍵格納部１１に格納されたタイトル鍵の中に取得したタイトル鍵と一致するタイトル鍵が存在しない場合、ステップ２０９の処理に進む。
【００２４】
ステップ２０９において、タイトル鍵制御部１３は、タイトル鍵格納部１１に格納されたタイトル鍵の中に取得したタイトル鍵と一致するタイトル鍵が存在しないという比較結果に基づいて、記録再生制御部５に対して移動処理の実行を許可する（Ｓ２０９）。そして、タイトル鍵制御部１３は、取得したタイトル鍵をタイトル鍵格納部１１の格納領域１５に新たに格納する（Ｓ２１１）。
【００２５】
記録再生制御部５は、タイトル鍵制御部１３から移動処理の実行を許可されると、ユーザによる操作に対応する暗号化されたコンテンツと当該コンテンツを暗号化したタイトル鍵との移動処理を実行する（Ｓ２１３）。すなわち、記録再生制御部５は、ユーザによる操作に対応する暗号化されたコンテンツと当該コンテンツを暗号化したタイトル鍵とを外部ハードディスクドライブ２０から読み出すと共にオリジナルデータを削除し、読み出した暗号化されたコンテンツとタイトル鍵とをハードディスクドライブ３に記録して格納する。
【００２６】
ステップＳ２０７において、タイトル鍵格納部１１に格納されたタイトル鍵の中に取得したタイトル鍵と一致するタイトル鍵が存在する場合、ステップ２１５の処理に進む。ステップ２１５において、タイトル鍵制御部１３は、タイトル鍵格納部１１に格納されたタイトル鍵の中に取得したタイトル鍵と一致するタイトル鍵が存在するという比較結果に基づいて、記録再生制御部５に対して移動処理の実行を禁止する（Ｓ２１５）。
【００２７】
記録再生制御部５は、タイトル鍵制御部１３から移動処理の実行が禁止されると、ユーザによる操作に対応する暗号化されたコンテンツと当該コンテンツを暗号化したタイトル鍵との移動処理を実行することなく、処理を終える。すなわち、ユーザによる操作に対応する暗号化されたコンテンツと当該コンテンツを暗号化したタイトル鍵とがハードディスクドライブ３に格納されることはない。
【００２８】
続いて、図３を参照して、記録再生装置１によるコンテンツの再生処理について説明する。ここでは、外部ハードディスクドライブ２０に格納されているコンテンツの再生処理の例を示す。
【００２９】
記録再生装置１が処理を開始し、ユーザによって例えばリモートコントローラが操作されて操作信号が入力されると、記録再生制御部５は、操作信号を取り込み、ユーザによる操作が、外部ハードディスクドライブ２０に格納されている暗号化されたコンテンツを再生させる指示であるか否かを判定する（Ｓ３０１）。ここで、ユーザによる操作が外部ハードディスクドライブ２０に格納されている暗号化されたコンテンツを再生させる指示でないと判定した場合、処理を終える。一方、ユーザによる操作が、外部ハードディスクドライブ２０に格納されている暗号化されたコンテンツを再生させる指示である場合には、ステップ３０３の処理に進む。
【００３０】
ステップ３０３において、記録再生制御部５は、ユーザによる操作に対応するコンテンツを暗号化したタイトル鍵を外部ハードディスクドライブ２０から読み出し、タイトル鍵制御部１３に送る。これにより、タイトル鍵制御部１３は、移動処理の際と同じく、ユーザによる操作に対応するコンテンツを暗号化したタイトル鍵を取得することとなる（Ｓ３０３）。
【００３１】
タイトル鍵を取得すると、タイトル鍵制御部１３は、取得したタイトル鍵とタイトル鍵格納部１１（格納領域１５）に格納されてリスト化されたタイトル鍵とを比較する（Ｓ３０５）。すなわち、タイトル鍵格納部１１に格納されたタイトル鍵の中に取得したタイトル鍵と一致するタイトル鍵が存在するか否かを判断し（Ｓ３０７）、タイトル鍵格納部１１に格納されたタイトル鍵の中に取得したタイトル鍵と一致するタイトル鍵が存在しない場合、ステップ３０９の処理に進む。
【００３２】
ステップ３０９において、タイトル鍵制御部１３は、タイトル鍵格納部１１に格納されたタイトル鍵の中に取得したタイトル鍵と一致するタイトル鍵が存在しないという比較結果に基づいて、記録再生制御部５に対して再生処理の実行を許可する（Ｓ３０９）。
【００３３】
記録再生制御部５は、タイトル鍵制御部１３から再生処理の実行を許可されると、ユーザによる操作に対応する暗号化されたコンテンツと当該コンテンツを暗号化したタイトル鍵との再生処理を実行する（Ｓ３１１）。すなわち、記録再生制御部５は、ユーザによる操作に対応する暗号化されたコンテンツと当該コンテンツを暗号化したタイトル鍵とを外部ハードディスクドライブ２０から読み出し、読み出したタイトル鍵により暗号化されたコンテンツを復号化し、コンテンツを再生する。
【００３４】
ステップＳ３０７において、タイトル鍵格納部１１に格納されたタイトル鍵の中に取得したタイトル鍵と一致するタイトル鍵が存在する場合、ステップ３１１の処理に進む。ステップ３１１において、タイトル鍵制御部１３は、タイトル鍵格納部１１に格納されたタイトル鍵の中に取得したタイトル鍵と一致するタイトル鍵が存在するという比較結果に基づいて、記録再生制御部５に対して再生処理の実行を禁止する（Ｓ３１３）。
【００３５】
記録再生制御部５は、タイトル鍵制御部１３から再生処理の実行が禁止されると、ユーザによる操作に対応する暗号化されたコンテンツと当該コンテンツを暗号化したタイトル鍵との再生処理を実行することなく、処理を終える。すなわち、ユーザによる操作に対応する暗号化されたコンテンツが復号化されて再生されることはない。
【００３６】
例えば、複製を許可されていないコンテンツＡが正当な手段により記録再生装置１のハードディスクドライブ３に記録されているとする。このとき、コンテンツＡはタイトル鍵により暗号化されている。
【００３７】
記録再生装置１に外部ハードディスクドライブ２０を接続し、コンテンツＡを正当な処理に基づいて記録再生装置１から外部ハードディスクドライブ２０に移動させると、コンテンツＡは記録再生装置１のハードディスクドライブ３から削除され、外部ハードディスクドライブ２０に格納される。コンテンツＡが格納された外部ハードディスクドライブ２０をパーソナルコンピュータなどの機器に接続し、コンテンツＡの複製であるコンテンツＡＣを外部ハードディスクドライブ２０内に格納するという不正処理を実行させると、コンテンツＡとコンテンツＡＣとが外部ハードディスクドライブ２０に格納される。このとき、コンテンツＡとコンテンツＡＣとは同一のタイトル鍵で暗号化されることとなる。
【００３８】
そして、コンテンツＡ及びコンテンツＡＣが格納された外部ハードディスクドライブ２０を再度記録再生装置１に接続し、コンテンツＡをハードディスクドライブ３に移動させようとすると、コンテンツＡを暗号化するタイトル鍵はタイトル鍵格納部１１に格納されていないので、タイトル鍵制御部１３により移動処理の実行が許可され、記録再生制御部５にて移動処理の実行されることとなる。
【００３９】
続いて、コンテンツＡＣをハードディスクドライブ３に移動あるいは再生させようとすると、コンテンツＡＣを暗号化するタイトル鍵は、コンテンツＡを移動した際にタイトル鍵制御部１３によりタイトル鍵格納部１１に格納されているので、外部ハードディスクドライブ２０に格納されているコンテンツＡＣは不正なものであるとして、タイトル鍵制御部１３により移動処理及び再生処理の実行が禁止され、記録再生制御部５にて移動処理及び再生処理の実行されることはない。
【００４０】
以上に説明したように、本実施形態においては、タイトル鍵制御部１３により、取得されたタイトル鍵とタイトル鍵格納部１１に格納されたタイトル鍵とが一致する場合には、外部ハードディスクドライブ２０に格納されたコンテンツの移動処理の実行が禁止される。また、本実施形態においては、タイトル鍵制御部１３により、取得されたタイトル鍵とタイトル鍵格納部１１に格納されたタイトル鍵とが一致する場合には、外部ハードディスクドライブ２０に格納されたコンテンツの再生処理の実行が禁止される。
【００４１】
この結果、本実施形態によれば、複製が許可されていないコンテンツから作成された複製の再生処理又は移動処理等が可能となるのを防ぐことができる。
【００４２】
また、本実施形態では、タイトル鍵制御部１３が、タイトル鍵格納部１１に格納されたタイトル鍵の中に取得したタイトル鍵と一致するタイトル鍵がない場合、取得したタイトル鍵をタイトル鍵格納部１１の格納領域１５に新たに格納している。これにより、ハードディスクドライブ３に格納されたコンテンツを暗号化したタイトル鍵をタイトル鍵格納部１１に確実に格納することができる。
【００４３】
以上、本発明の好適な実施形態について説明してきたが、本発明は必ずしも上述した実施形態に限定されるものではなく、その要旨を逸脱しない範囲で様々な変更が可能である。
【００４４】
本実施形態においては、タイトル鍵制御部１３が、制御手段として機能するように構成されているが、これに限られることなく、記録再生制御部５が制御手段として機能するように構成されていてもよい。
【００４５】
また、本実施形態においては、本発明を、外部ハードディスクドライブ２０からハードディスクドライブ３への移動処理及び外部ハードディスクドライブ２０のコンテンツの再生処理に適用しているが、本発明の適用はこれらに限られるものではない。例えば、図４に示されるように、記録再生装置１が複数（図４においては、２つ）のハードディスクドライブ３を備えている場合、これらのハードディスクドライブ３のハードディスク７間での移動処理及び再生処理に本発明を適用することができる。また、図示は省略するが、複数の外部ハードディスクドライブ２０間の移動処理及び再生処理、並びに、ハードディスクドライブ３から外部ハードディスクドライブ２０への移動処理及び再生処理にも、本発明を適用することができる。
【００４６】
また、記録媒体としてハードディスク７，２２に限られることなく、光メディアやフラッシュメモリ等の様々な記録媒体を対象とすることができる。
【図面の簡単な説明】
【００４７】
【図１】本実施形態に係る記録再生装置の構成を示すブロック図である。
【図２】コンテンツの移動処理の動作手順を示すフローチャートである。
【図３】コンテンツの再生処理の動作手順を示すフローチャートである。
【図４】本実施形態の変形例に係る記録再生装置の構成を示すブロック図である。
【図５】コンテンツの移動処理を説明するための模式図である。
【符号の説明】
【００４８】
１…記録再生装置、３…ハードディスクドライブ、５…記録再生制御部、７…ハードディスク、９…インターフェイス、１１…タイトル鍵格納部、１３…タイトル鍵制御部、１５…格納領域、２０…外部ハードディスクドライブ、２２…ハードディスク。
【図１】
2008085475.tif 000003
【図２】
2008085475.tif 000004
【図３】
2008085475.tif 000005
【図４】
2008085475.tif 000006
【図５】
2008085475.tif 000007